(57)【要約】【課題】液電池の類焼を抑制することができるバッテリーモジュールを提供する。【解決手段】バッテリーモジュール１００は、液電池１０と、固体電池２０とを備え、固体電池２０は、液電池１０に接して配置され、固体電池２０は、液電池１０よりも大きい。【選択図】図１Ａ
2019003930.tif 000002
【特許請求の範囲】
【請求項１】
素電池である第１液電池と、
前記第１液電池よりも大きい体積を有する素電池である第１固体電池とを備える、
バッテリーモジュール。
【請求項２】
前記第１固体電池は、前記第１液電池に接して配置される、
請求項１に記載のバッテリーモジュール。
【請求項３】
前記第１液電池よりも大きい体積を有する素電池である第２固体電池をさらに備え、  前記第１液電池は、前記第１固体電池と前記第２固体電池の間に配置される、
請求項１または２に記載のバッテリーモジュール。
【請求項４】
前記第２固体電池は、前記第１液電池に接して配置される、
請求項３に記載のバッテリーモジュール。
【請求項５】
前記第１液電池、前記第１固体電池、及び、前記第２固体電池を収容するバッテリーケースをさらに備え、
前記第１固体電池、前記第２固体電池、および前記バッテリーケースは、閉空間を画定し、
前記第１液電池は、前記閉空間内に配置される、
請求項３または４に記載のバッテリーモジュール。
【請求項６】
内面を有し、前記第１液電池、前記第１固体電池、及び、前記第２固体電池を収容するバッテリーケースをさらに備え、
前記第１固体電池は、前記第１液電池に対向する主面と、前記バッテリーケースの前記内面に接する側面と、を有し、
前記第２固体電池は、前記第１液電池に対向する主面と、前記バッテリーケースの前記内面に接する側面と、を有し、
前記第１液電池は、前記第１固体電池の前記主面、前記第２固体電池の前記主面、及び、前記バッテリーケースの前記内面によって囲まれた閉空間内に配置される、
請求項３〜５のいずれかに記載のバッテリーモジュール。
【請求項７】
前記第１液電池は、主面および少なくとも一つの側面と、を有し、
前記第１固体電池は、前記第１液電池の前記主面及び前記少なくとも一つの側面を覆う、
請求項１から６のいずれかに記載のバッテリーモジュール。
【請求項８】
素電池である第３固体電池をさらに備え、
前記第１液電池は、主面および少なくとも一つの側面を有し、
前記第１固体電池は、前記第１液電池の前記主面を覆い、
前記第３固体電池は、前記第１液電池の前記少なくとも一つの側面を覆う、
請求項１から６のいずれかに記載のバッテリーモジュール。
【請求項９】
前記第１液電池は、有機物を含む電解液を前記第１固体電池よりも多く含み、
前記第１固体電池は、固体電解質を前記第１液電池よりも多く含む、
請求項１から８のいずれかに記載のバッテリーモジュール。
【請求項１０】
前記第１固体電池は、前記電解液を含まない、
請求項９に記載のバッテリーモジュール。
【請求項１１】
前記第１液電池は、前記固体電解質を含まない、
請求項９または１０に記載のバッテリーモジュール。
【請求項１２】
素電池である第２液電池をさらに備え、
前記第１固体電池は、前記第１液電池と前記第２液電池の間に配置される、
請求項１から１１のいずれかに記載のバッテリーモジュール。
【請求項１３】
前記第２液電池は、前記第１固体電池に接して配置される、
請求項１２に記載のバッテリーモジュール。
【請求項１４】
前記第２液電池は、前記第１固体電池に接して配置される、
請求項１２に記載のバッテリーモジュール。
【請求項１５】
請求項１〜１４のいずれかに記載のバッテリーモジュールと、
前記バッテリーモジュールからの電力で駆動する電気モータとを備える、
乗り物。
【発明の詳細な説明】
【技術分野】
【０００１】
本開示は、液電池及び固体電池のハイブリッド構造を有するバッテリーモジュールおよび乗り物に関する。
【背景技術】
【０００２】
特許文献１及び２には、液電池及び全固体電池が交互に配置された構造が開示されている。
【先行技術文献】
【特許文献】
【０００３】
【特許文献１】特許第４０７５４８７号公報
【特許文献２】特開２０１５−１２５９１９号公報
【発明の概要】
【発明が解決しようとする課題】
【０００４】
液電池及び全固体電池を有するバッテリーモジュールは、一の液電池の発火により他の液電池が類焼してしまうことが課題である。
【０００５】
本開示の一態様は、液電池の類焼を抑制することができるバッテリーモジュールを提供する。
【課題を解決するための手段】
【０００６】
本開示の一態様に係るバッテリーモジュールは、素電池である第１液電池と、前記第１液電池よりも大きい体積を有する素電池である第１固体電池とを備える。本開示の包括的または具体的な態様は、バッテリーモジュール、乗り物、装置、システム、方法、またはこれらの任意な組み合わせで実現されてもよい。
【発明の効果】
【０００７】
本開示の一態様によれば、液電池の類焼を抑制することができる高い信頼性のバッテリーモジュールが実現される。
【図面の簡単な説明】
【０００８】
【図１Ａ】図１Ａは、実施の形態１に係るバッテリーモジュールをＺ−Ｘ平面に平行な平面で切断した場合の模式断面図である。
【図１Ｂ】図１Ｂは、実施の形態１に係るバッテリーモジュールのＸ−Ｙ平面に平行な平面で切断した場合の模式断面図である。
【図１Ｃ】図１Ｃは、実施の形態１に係るバッテリーモジュールのＹ−Ｚ平面に平行な平面で切断した場合の模式断面図である。
【図２Ａ】図２Ａは、実施の形態２に係るバッテリーモジュールをＺ−Ｘ平面に平行な平面で切断した場合の模式断面図である。
【図２Ｂ】図２Ｂは、実施の形態２に係るバッテリーモジュールのＸ−Ｙ平面に平行な平面で切断した場合の模式断面図である。
【図２Ｃ】図２Ｃは、実施の形態２に係るバッテリーモジュールのＹ−Ｚ平面に平行な平面で切断した場合の模式断面図である。
【図３Ａ】図３Ａは、実施の形態３に係るバッテリーモジュールをＺ−Ｘ平面に平行な平面で切断した場合の模式断面図である。
【図３Ｂ】図３Ｂは、実施の形態３に係るバッテリーモジュールのＸ−Ｙ平面に平行な平面で切断した場合の模式断面図である。
【図３Ｃ】図３Ｃは、実施の形態３に係るバッテリーモジュールのＹ−Ｚ平面に平行な平面で切断した場合の模式断面図である。
【図４】図４は、実施の形態３の変形例１に係るバッテリーモジュールをＺ−Ｘ平面に平行な平面で切断した場合の模式断面図である。
【図５】図５は、実施の形態３の変形例２に係るバッテリーモジュールをＺ−Ｘ平面に平行な平面で切断した場合の模式断面図である。
【図６】図６は、実施の形態４に係る乗り物の概略構成を示す説明図である。
【発明を実施するための形態】
【０００９】
（本開示の基礎となった知見）
電解液、または、電解液及び高分子化合物からなるゲル状電解質が用いられた液電池は、燃えやすい。このため、複数の液電池を隣り合わせて配置すると類焼する恐れがある。一方、固体電解質を用いた電池は、電解液及びゲル状電解質が用いられていないため、燃えにくい。
【００１０】
特許文献１及び２には、液電池及び全固体電池が交互に配置されている構造が開示されている。このような構造によれば、液電池に対して使用される安全装置群がなくても、安全性の高いバッテリーモジュールを提供することができる。しかしながら、一般的に、バッテリーモジュールにおいては、液電池及び全固体電池がバッテリーケースに収容されており、液電池及び全固体電池の周囲には空気が流れるスペースがある。そうすると、一の液電池が発火した場合に、炎が空気の流れに乗って全固体電池を超えてしまい、他の液電池が類焼する恐れがある。
【００１１】
このような課題を鑑み、本開示の一態様に係るバッテリーモジュールは、第１液電池と、第１固体電池とを備え、前記第１固体電池は、前記第１液電池に接して配置され、前記第１固体電池は、前記第１液電池よりも大きい。
【００１２】
これにより、第１液電池が発火したとしても第１固体電池が障壁となり、他の液電池の類焼が発生しにくい。つまり、信頼性の高いバッテリーモジュールが実現される。なお、第１液電池は素電池であってもよい。第１固体電池は、第１液電池よりも大きい体積を有する素電池であってもよい。第１固体電池は、前記第１液電池に接していなくてもよい。例えば、第１固体電池と第１液電池の間に空間があってもよい。第１固体電池を含む複数の固体電池が連続して並んでいてもよい。第１液電池を含む複数の液電池が連続して並んでいてもよい。第１固体電池は、無機の固体電解質を備えてもよく、また、有機の固体電解質を備えてもよい。第１固体電池の形状は、特に限定されない。例えば、第１固体電池の形状は、立方体であってもよく、また、直方体であってもよく、また、円筒であってもよい。第１液電池の形状は、特に限定されない。例えば、第１液電池の形状は、立方体であってもよく、また、直方体であってもよく、また、円筒であってもよい。
【００１３】
また、例えば、第２固体電池をさらに備え、前記第２固体電池は、前記第１液電池に接して配置され、前記第２固体電池は、前記第１液電池よりも大きく、前記第１液電池は、前記第１固体電池及び前記第２固体電池に挟まれる。
【００１４】
これにより、第１液電池が発火したとしても、第１液電池を挟む第１固体電池及び第２固体電池が障壁となり、他の液電池の類焼が発生しにくい。つまり、信頼性の高いバッテリーモジュールが実現される。なお、第２固体電池は第１液電池よりも大きい体積を有する素電池であってもよい。第２固体電池は、前記第１液電池に接していなくてもよい。例えば、第２固体電池と第１液電池の間に空間があってもよい。第２固体電池を含む複数の固体電池が連続して並んでいてもよい。第２固体電池は、無機の固体電解質を備えてもよく、また、有機の固体電解質を備えてもよい。第２固体電池の形状は、特に限定されない。例えば、第２固体電池の形状は、立方体であってもよく、また、直方体であってもよく、また、円筒であってもよい。
【００１５】
また、例えば、前記第１液電池、前記第１固体電池、及び、前記第２固体電池を収容するバッテリーケースをさらに備え、前記第１固体電池の側面、及び、前記第２固体電池の側面は、前記バッテリーケースの内面に接し、前記第１液電池は、前記第１固体電池の主面、前記第２固体電池の主面、及び、前記バッテリーケースの内面によって囲まれた閉空間に配置される。
【００１６】
これにより、第１液電池が閉空間に配置されるため、第１液電池が発火した場合に他の液電池の類焼が発生しにくい。つまり、信頼性の高いバッテリーモジュールが実現される。
【００１７】
また、例えば、前記第１固体電池は、前記第１液電池の主面及び側面を覆う。
【００１８】
これにより、第１液電池の主面及び側面が発火しにくい第１固体電池によって覆われているため、第１液電池が発火した場合に他の液電池の類焼が発生しにくい。つまり、信頼性の高いバッテリーモジュールが実現される。
【００１９】
また、例えば、第３固体電池をさらに備え、前記第１固体電池は、前記第１液電池の主面を覆い、前記第３固体電池は、前記第１液電池の側面を覆う。
【００２０】
これにより、第１液電池の主面及び側面が発火しにくい第１固体電池及び第３固体電池によって覆われているため、第１液電池が発火した場合に他の液電池の類焼が発生しにくい。つまり、信頼性の高いバッテリーモジュールが実現される。
【００２１】
また、例えば、前記第１液電池は、有機物を含む電解液を前記第１固体電池よりも多く含み、前記第１固体電池は、固体電解質を前記第１液電池よりも多く含む。
【００２２】
これにより、第１液電池が発火したとしても、固体電解質を比較的多く含むことにより発火しにくい第１固体電池が障壁となり、他の液電池の類焼が発生しにくい。つまり、信頼性の高いバッテリーモジュールが実現される。
【００２３】
また、例えば、前記第１固体電池は、前記電解液を含まない。
【００２４】
これにより、第１液電池が発火したとしても、電解液を含まないために発火しにくい第１固体電池が障壁となり、他の液電池の類焼が発生しにくい。つまり、信頼性の高いバッテリーモジュールが実現される。
【００２５】
また、例えば、前記第１液電池は、前記固体電解質を含まない。
【００２６】
これにより、固体電解質を含まない第１液電池が発火した場合に他の液電池の類焼が発生しにくい。つまり、信頼性の高いバッテリーモジュールが実現される。
【００２７】
また、例えば、第２液電池をさらに備え、前記第１固定電池は、前記第１液電池及び前記第２液電池の間に、前記第１液電池及び前記第２液電池に接して配置される。
【００２８】
これにより、第１液電池が発火したとしても第１固体電池が障壁となり、第２液電池の類焼が発生しにくい。つまり、信頼性の高いバッテリーモジュールが実現される。なお、第２液電池は素電池であってもよい。第１固体電池は、前記第２液電池に接していなくてもよい。例えば、第１固体電池と第２液電池の間に空間があってもよい。第２液電池を含む複数の液電池が連続して並んでいてもよい。第２液電池の形状は、特に限定されない。例えば、第２液電池の形状は、立方体であってもよく、また、直方体であってもよく、また、円筒であってもよい。
【００２９】
以下、実施の形態について、図面を参照しながら説明する。以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００３０】
また、各図は模式図であり、必ずしも厳密に図示されたものではない。また、各図において、実質的に同一の構成に対しては同一の符号を付し、重複する説明は省略または簡略化される場合がある。
【００３１】
また、以下の実施の形態で説明に用いられる図面においては座標軸が示される場合がある。座標軸におけるＸ軸方向は、例えば、固体電池及び液電池の厚み方向と記載される。また、Ｙ軸方向は、固体電池及び液電池の横方向と記載され、Ｚ軸方向は、固体電池及び液電池の縦方向と記載される。また、固体電池及び液電池のＹ−Ｚ平面に平行な面は、主面と記載される。主面は、言い換えれば、上面または下面である。主面は、例えば、最も広い一対の面の一方である。固体電池及び液電池の主面以外の面は、側面と記載される。
【００３２】
（実施の形態１）
［構成］
以下、実施の形態１に係るバッテリーモジュールの構成について図面を参照しながら説明する。図１Ａは、実施の形態１に係るバッテリーモジュールをＺ−Ｘ平面に平行な平面で切断した場合の模式断面図である。図１Ｂは、実施の形態１に係るバッテリーモジュールのＸ−Ｙ平面に平行な平面で切断した場合の模式断面図である。図１Ｃは、実施の形態１に係るバッテリーモジュールのＹ−Ｚ平面に平行な平面で切断した場合の模式断面図である。
【００３３】
図１Ａ〜図１Ｃに示されるように、実施の形態１に係るバッテリーモジュール１００は、複数の液電池１０と、複数の固体電池２０と、バッテリーケース３０とを備える。バッテリーモジュール１００は、液電池１０及び固体電池２０を少なくとも１つずつ備えればよい。バッテリーモジュール１００が備える液電池１０の数及び固体電池２０の数は特に限定されない。
【００３４】
液電池１０は、第１液電池及び第２液電池の一例であり、有機物を含む液体の電解質（電解液）を固体電池２０よりも多く含む電池である。電解液としては、例えば、有機物からなる溶媒に電解質が溶解してなる液体が用いられる。溶媒として用いられる有機物としては、一般に公知の電池電解液用の有機溶媒材料が用いられる。電解質としては、一般に公知の電池電解液用の電解質材料が用いられる。なお、液電池１０は、固体の電解質を一切含まなくてもよい。液電池１０は、素電池であってもよい。
【００３５】
液電池１０は、Ｘ軸方向を厚み方向とする平たい直方体状（矩形板状）である。液電池１０のサイズは、例えば、Ｚ軸方向（縦方向）の長さ約２６．５ｍｍ、Ｘ軸方向（厚み方向）の長さ約１ｍｍ、Ｙ方向（横方向）の長さ約１４８ｍｍである。液電池１０は、他の形状、大きさであってもよい。
【００３６】
固体電池２０は、第１固体電池及び第２固体電池の一例であり、固体の電解質を液電池１０よりも多く含む電池である。固体電池２０は、例えば、液体の電解質を一切含まない全固体電池である。固体の電解質としては、例えば、一般に公知の電池用の固体電解質材料が用いられる。固体の電解質は、無機であってもよく、また、有機であってもよい。固体電池２０は、素電池であってもよい。
【００３７】
固体電池２０は、Ｘ軸方向を厚み方向とする平たい直方体状（矩形板状）である。固体電池２０のサイズは、例えば、Ｚ軸方向（縦方向）の長さ約３２．５ｍｍ、Ｘ軸方向（厚み方向）の長さ約１ｍｍ、Ｙ方向（横方向）の長さ約１５４ｍｍである。つまり、固体電池２０は、液電池１０よりも外形（体積）が大きい。固体電池２０は、液電池１０よりも体積が大きければ、他の形状、大きさであってもよい。
【００３８】
なお、詳細については図示されないが、液電池１０及び固体電池２０のそれぞれは、電解質（電解液）が含まれる電解質層に加えて、正極層及び負極層を備える。電解質層は、正極層及び負極層の間に配置される。液電池１０及び固体電池２０のそれぞれは、素電池であってもよい。
【００３９】
正極層は、金属イオン（例えば、リチウムイオン）を吸蔵及び放出できる正極活物質を含む。正極活物質としては、一般に公知の電池正極用の活物質材料が用いられる。
【００４０】
負極層は、金属イオン（例えば、リチウムイオン）を吸蔵及び放出できる負極活物質を含む。負極活物質としては、一般に公知の電池負極用の活物質材料が用いられる。
【００４１】
液電池１０及び固体電池２０のそれぞれは、例えば、正極層、負極層、及び、電解質層からなる積層体が外装体に封止されてなる電池セルとして実現される。液電池１０及び固体電池２０のそれぞれは、具体的には、例えば、リチウム二次電池セルとして実現される。
【００４２】
バッテリーケース３０は、複数の液電池１０及び複数の固体電池２０を内部に収容する中空の筐体である。バッテリーケース３０は、略直方体状である。バッテリーケース３０は、金属材料によって形成されてもよいし、樹脂材料によって形成されてもよい。
【００４３】
［液電池及び固体電池の配置］
バッテリーケース３０内において、複数の液電池１０及び複数の固体電池２０は、主面同士が接触するように交互に配置されている。つまり、固体電池２０は、液電池１０に接して配置されている。例えば、１つの液電池１０は、２つの固体電池２０に挟まれている。１つの固体電池２０は、２つの液電池１０の間に、当該２つの液電池１０の両方に接して配置される。なお、複数の液電池１０の少なくとも一部が連続して並んでいてもよい。すなわち、２つの固体電池２０に２以上の液電池１０が挟まれていてもよく、また、電池の列の末端に２以上の液電池１０が連続していてもよい。また、複数の固体電池２０の少なくとも一部が連続して並んでいてもよい。すなわち、２つの液電池１０に２以上の固体電池２０が挟まれていてもよく、また、電池の列の末端に２以上の固体電池２０が連続していてもよい。また、少なくとも一つの液電池１０が固体電池２０に接触していなくてもよい。バッテリーケース３０内には、複数の液電池１０及び複数の固体電池２０を支える支持部材が設けられていてもよい。
【００４４】
ここで、固体電池２０は、液電池１０よりも外形が一回り大きく、液電池１０の側面からバッテリーケースの内面までの距離は、固体電池２０の側面からバッテリーケースの内面までの距離よりも長い。したがって、図１Ｃに示されるように、主面に垂直な方向から見た場合、液電池１０は、固体電池２０に隠れるように配置されている。なお、液電池１０の側面からバッテリーケース３０の内面までの距離、及び、固体電池２０の側面からバッテリーケース３０の内面までの距離のそれぞれは、例えば、５ｍｍ以上である。
【００４５】
以上の構成によれば、発火の可能性が高い液電池１０の間に発火の可能性が低い固体電池２０であって、液電池１０よりも大きい固体電池２０が配置されるため、固体電池２０が防火壁として機能する。このため、液電池１０の類焼が抑制された高い信頼性のバッテリーモジュール１００を実現することができる。なお、固体電池２０は、単層構造であってもよいし、積層構造であってもよい。
【００４６】
（実施の形態２）
［実施の形態２に係る、液電池及び固体電池の配置］
次に、実施の形態２に係るバッテリーモジュールについて説明する。図２Ａは、実施の形態２に係るバッテリーモジュールをＺ−Ｘ平面に平行な平面で切断した場合の模式断面図である。図２Ｂは、実施の形態２に係るバッテリーモジュールのＸ−Ｙ平面に平行な平面で切断した場合の模式断面図である。図２Ｃは、実施の形態２に係るバッテリーモジュールのＹ−Ｚ平面に平行な平面で切断した場合の模式断面図である。なお、以下の実施の形態２では、実施の形態１との相違点を中心に説明が行われ、既出事項についての説明は省略される。
【００４７】
図２Ａ〜図２Ｃに示されるように、実施の形態２に係るバッテリーモジュール１０１は、複数の液電池１０と、複数の固体電池２０と、複数の液電池１０及び複数の固体電池２０を収容するバッテリーケース３０とを備える。バッテリーモジュール１０１は、液電池１０及び固体電池２０を少なくとも１つずつ備えればよい。バッテリーモジュール１０１が備える液電池１０の数及び固体電池２０の数は特に限定されない。
【００４８】
バッテリーケース３０内において、複数の液電池１０及び複数の固体電池２０は、主面同士が接触するように交互に配置されている。つまり、固体電池２０は、液電池１０に接して配置されている。例えば、１つの液電池１０は、２つの固体電池２０に挟まれている。
【００４９】
ここで、固体電池２０は、液電池１０よりも一回り大きく、固体電池２０の側面は、バッテリーケース３０の内面に接している。なお、固体電池２０は、バッテリーケース３０と一体化されていてもよい。液電池１０は、２つの固体電池の主面、及び、バッテリーケース３０の内面によって囲まれた閉空間に配置される。なお、ここでの閉空間は、実質的に閉じた空間を意味し、密閉された空間であることは必須ではない。
【００５０】
以上の構成によれば、発火の可能性が高い液電池１０が発火の可能性が低い固体電池２０及びバッテリーケース３０によって形成された閉空間に配置されるため、一の液電池１０が発火した場合に他の液電池１０が類焼する可能性が非常に低い。つまり、液電池１０の類焼が抑制された高い信頼性のバッテリーモジュール１０１を実現することができる。なお、複数の液電池１０の少なくとも一部が連続して並んでいてもよい。すなわち、２つの固体電池２０に２以上の液電池１０が挟まれていてもよく、また、電池の列の末端に２以上の液電池１０が連続していてもよい。この場合も、２以上の液電池１０と他の液電池１０との間の類焼が抑制できる。また、複数の固体電池２０の少なくとも一部が連続して並んでいてもよい。すなわち、２つの液電池１０に２以上の固体電池２０が挟まれていてもよく、また、電池の列の末端に２以上の固体電池２０が連続していてもよい。また、少なくとも一つの液電池１０が固体電池２０に接触していなくてもよい。バッテリーケース３０内には、複数の液電池１０及び複数の固体電池２０を支える支持部材が設けられていてもよい。なお、固体電池２０は、単層構造であってもよいし、積層構造であってもよい。
【００５１】
（実施の形態３）
［実施の形態３に係る、液電池及び固体電池の配置］
次に、実施の形態３に係るバッテリーモジュールについて説明する。図３Ａは、実施の形態３に係るバッテリーモジュールをＺ−Ｘ平面に平行な平面で切断した場合の模式断面図である。図３Ｂは、実施の形態３に係るバッテリーモジュールのＸ−Ｙ平面に平行な平面で切断した場合の模式断面図である。図３Ｃは、実施の形態３に係るバッテリーモジュールのＹ−Ｚ平面に平行な平面で切断した場合の模式断面図である。なお、以下の実施の形態３では、実施の形態１及び２との相違点を中心に説明が行われ、既出事項についての説明は省略される。
【００５２】
図３Ａ〜図３Ｃに示されるように、実施の形態３に係るバッテリーモジュール１０２は、複数の液電池１０と、固体電池２２と、複数の液電池１０及び固体電池２２を収容するバッテリーケース３０とを備える。バッテリーモジュール１０２は、液電池１０を少なくとも１つ備えればよい。バッテリーモジュール１０２が備える液電池１０の数は特に限定されない。
【００５３】
固体電池２２は、液電池１０を包み込むように収容するための空間を形成しており、複数の液電池１０のそれぞれは、空間に配置される。この空間は、液電池１０の外形とほぼ等しい形状及び大きさである。この結果、固体電池２２は、複数の液電池１０のそれぞれの主面及び側面に接し、かつ、複数の液電池１０のそれぞれの主面及び側面を覆っている。つまり、液電池１０は、表面の全てを固体電池２２によって覆われている。複数の液電池１０は固体電池２２に覆われているため、外部からは複数の液電池１０を視認できない。なお、一の液電池１０と他の液電池１０との間には、固体電池２２の一部が介在している。
【００５４】
以上の構成によれば、発火の可能性が高い液電池１０の全体が発火の可能性が低い固体電池２２によって覆われているため、一の液電池１０が発火した場合に他の液電池１０が類焼する可能性が非常に低い。つまり、液電池１０の類焼が抑制された高い信頼性のバッテリーモジュール１０２を実現することができる。なお、複数の液電池１０の少なくとも一部が連続して並んでいてもよい。また、少なくとも一つの液電池１０が固体電池２０に接触していなくてもよい。バッテリーケース３０内には、複数の液電池１０及び固体電池２０を支える支持部材が設けられていてもよい。固体電池２０は、複数の素電池から構成されていてもよい。なお、固体電池２２は、単層構造であってもよいし、積層構造であってもよい。
【００５５】
［実施の形態３に係るバッテリーモジュールの変形例］
バッテリーモジュール１０２においては、複数の液電池１０のそれぞれの主面及び側面が１つの固体電池２２に覆われたが、複数の液電池１０のそれぞれの主面及び側面は、複数の固体電池によって覆われてもよい。図４は、このような実施の形態３の変形例１に係るバッテリーモジュールをＺ−Ｘ平面に平行な平面で切断した場合の模式断面図である。
【００５６】
図４に示されるように、実施の形態３の変形例１に係るバッテリーモジュール１０２ａは、複数の液電池１０と、固体電池２０と、複数の固体電池２２ａと、複数の液電池１０、固体電池２０、及び複数の固体電池２２ａを収容するバッテリーケース３０とを備える。
【００５７】
バッテリーモジュール１０２ａにおいては、上記固体電池２２は、複数の固体電池２２ａ及び固体電池２０によって実現されている。固体電池２２ａのそれぞれは、第１固体電池及び第２固体電池の一例であり、例えば、固体電池２０と同様の電解質を有する。固体電池２２ａは、素電池であってもよい。
【００５８】
固体電池２２ａのそれぞれは、液電池１０が収容される凹部を有する。凹部は、液電池１０の外形とほぼ等しい形状及び大きさである。一の固体電池２２ａの凹部に収容された液電池１０の、当該一の固体電池２２ａに接していない主面は、他の固体電池２２ａの底面に接している。Ｘ軸方向においてＸ軸プラス側の端に位置する液電池１０の固体電池２２ａに接していない主面は、直方体状の固体電池２０の主面と接している。
【００５９】
以上の構成によれば、発火の可能性が高い液電池１０の全体が発火の可能性が低い固体電池２０及び固体電池２２ａの少なくとも一方によって覆われているため、一の液電池１０が発火した場合に他の液電池１０が類焼する可能性が非常に低い。つまり、液電池１０の類焼が抑制された高い信頼性のバッテリーモジュール１０２ａを実現することができる。なお、複数の液電池１０の少なくとも一部が連続して並んでいてもよい。すなわち、１つの固体電池２２ａの凹部に２以上の液電池１０が収容されていてもよい。また、少なくとも一つの液電池１０が固体電池２２ａに接触していなくてもよい。バッテリーケース３０内には、複数の液電池１０並びに複数の固体電池２２ａ及び固体電池２０を支える支持部材が設けられていてもよい。
【００６０】
また、上記固体電池２２は、バッテリーモジュール１００に、液電池１０の側面を覆う固体電池が追加されることによっても実現されてもよい。図５は、このような実施の形態３の変形例２に係るバッテリーモジュールをＺ−Ｘ平面に平行な平面で切断した場合の模式断面図である。
【００６１】
図５に示されるように、実施の形態３の変形例２に係るバッテリーモジュール１０２ｂは、複数の液電池１０と、複数の固体電池２０と、複数の固体電池２２ｂと、複数の液電池１０、複数の固体電池２０、及び、複数の固体電池２２ｂを収容するバッテリーケース３０とを備える。
【００６２】
バッテリーモジュール１０２ｂにおいては、複数の液電池１０のそれぞれの側面が複数の固体電池２２ｂによって覆われている。複数の固体電池２２ｂのそれぞれは、第３固体電池の一例であり、例えば、固体電池２０と同様の電解質を有する。固体電池２２ｂは、素電池であってもよい。
【００６３】
複数の固体電池２２ｂのそれぞれは、２つの固体電池２０の間であって、一の液電池１０の側方に配置されている。固体電池２２ｂは、１つの液電池１０に対して、当該液電池１０を四方から囲むように、四方に対応して４つ配置されているが、１つの液電池１０に対して、当該液電池１０の四方を囲む矩形環状の１つの固体電池２２ｂが配置されてもよい。
【００６４】
以上の構成によれば、発火の可能性が高い液電池１０の全体が発火の可能性が低い固体電池２０及び固体電池２２ｂによって覆われているため、一の液電池１０が発火した場合に他の液電池１０が類焼する可能性が非常に低い。つまり、液電池１０の類焼が抑制された高い信頼性のバッテリーモジュール１０２ｂを実現することができる。なお、複数の液電池１０の少なくとも一部が連続して並んでいてもよい。すなわち、１つの固体電池２２ｂが２以上の液電池１０の側面を覆っていてもよい。また、少なくとも一つの液電池１０が固体電池２２ｂに接触していなくてもよい。バッテリーケース３０内には、複数の液電池１０並びに複数の固体電池２２ｂ及び複数の固体電池２０を支える支持部材が設けられていてもよい。
【００６５】
（実施の形態４）
図６は、実施の形態４係る乗り物の概略構成を示す説明図である。実施の形態４の乗り物１６０は、例えば、電気自動車である。乗り物１６０は、電気モータ１６１と、バッテリーモジュール１６２と、車輪１６３とを備えている。バッテリーモジュール１６２は、上述した実施の形態および変形例の何れかのバッテリーモジュールである。バッテリーモジュール１６２は、電気モータ１６１に電力を供給し、電気モータ１６１を駆動する。電気モータ１６１は車輪１６３を回転させ、これにより、乗り物１６０は移動する。乗り物１６０は、ハイブリッドカーなどの他の自動車であってもよい。また、乗り物１６０は、電車、飛行機、船など、他の乗り物であってもよい。
【００６６】
以上の構成によれば、液電池１０の類焼が抑制された高い信頼性のバッテリーモジュール１６２からの電力により電気モータ１６１を駆動するので、人や荷物を安全に移動させることができる。
【００６７】
（その他の実施の形態）
以上、実施の形態について説明したが、本開示は、このような実施の形態に限定されるものではない。その他、上記実施の形態に対して当業者が思いつく各種変形を施して得られる形態、及び、本開示の趣旨を逸脱しない範囲で上記実施の形態１〜４で説明された構成要素及び機能を任意に組み合わせることで実現される形態も本開示に含まれる。
【産業上の利用可能性】
【００６８】
本開示は、信頼性の高いバッテリーモジュールとして有用である。
【符号の説明】
【００６９】
１０  液電池
２０、２２、２２ａ、２２ｂ  固体電池
３０  バッテリーケース
１００、１０１、１０２、１０２ａ、１０２ｂ、１６２  バッテリーモジュール
１６１  電気モータ
１６０  乗り物
１６３  車輪
【図１Ａ】
2019003930.tif 000003
【図１Ｂ】
2019003930.tif 000004
【図１Ｃ】
2019003930.tif 000005
【図２Ａ】
2019003930.tif 000006
【図２Ｂ】
2019003930.tif 000007
【図２Ｃ】
2019003930.tif 000008
【図３Ａ】
2019003930.tif 000009
【図３Ｂ】
2019003930.tif 000010
【図３Ｃ】
2019003930.tif 000011
【図４】
2019003930.tif 000012
【図５】
2019003930.tif 000013
【図６】
2019003930.tif 000014